(57)【要約】  スイッチユニット４０は、タクタイルスイッチ５０と、タクタイルスイッチ５０が操作されることによって発生される操作信号を伝達するケーブル６０と、操作部外装部材３０の予め定めた位置に配設される係入部７３、係入部７３に対して第１の端部側に設けられタクタイルスイッチ５０が実装される凹面７１ｃ、係入部７３を挟んで第１の端部とは反対側の第２の端部側に設けられケーブル６０が接続されるケーブル固定部７５、及び凹面７１ｃとケーブル固定部７５とを電気的に接続してタクタイルスイッチ５０から発生される操作信号をケーブル６０に伝達する回路７６が形成された成形部品７０と、を具備している。
2019097805.tif 000002
【特許請求の範囲】
【請求項１】
タクタイルスイッチと、
前記タクタイルスイッチが操作されることによって発生される操作信号を伝達するケーブルと、
外装部材の予め定めた位置に配設される中途部、前記中途部に対して第１の端部側に設けられ前記タクタイルスイッチが実装されるスイッチ固定部、前記中途部を挟んで前記第１の端部とは反対側の第２の端部側に設けられ前記ケーブルが接続されるケーブル固定部、及び前記スイッチ固定部と前記ケーブル固定部とを電気的に接続して前記タクタイルスイッチから発生される操作信号を前記ケーブルに伝達する回路が形成された成形部品と、
を具備することを特徴とするスイッチユニット。
【請求項２】
さらに、前記成形部品に配設されて前記タクタイルスイッチを覆い、前記成形部品によって前記外装部材に固定されるキートップを具備することを特徴とする請求項１に記載のスイッチユニット。
【請求項３】
前記成形部品は、
前記スイッチ固定部が設けられる第１配設部と、
前記ケーブル固定部が設けられる第２配設部と、を有し、
前記第２配設部は、前記第１配設部の前記スイッチ固定部とは反対側面に直交して設けられる、
ことを特徴とする請求項２に記載のスイッチユニット。
【請求項４】
前記ケーブル固定部に固定される前記ケーブルは、前記スイッチ固定部に固定された前記タクタイルスイッチの操作部の直下から前記成形部品の外方に導出される、
ことを特徴とする請求項３に記載のスイッチユニット。
【請求項５】
請求項１から請求項４までの何れか１項に記載されたスイッチユニットを内視鏡操作部に設けたことを特徴とする内視鏡。
【発明の詳細な説明】
【技術分野】
【０００１】
本発明は、内視鏡操作部に設けられるスイッチユニット及び該スイッチユニットを備えて構成された操作スイッチを該操作部に設けた内視鏡に関する。
【背景技術】
【０００２】
内視鏡は、医療分野及び工業用分野等において利用されている。内視鏡は、被検体内に挿入される細長な挿入部を備えている。一般に、挿入部の先端側に位置する先端部には撮像装置が内蔵されている。また、挿入部の先端側には先端部に連接して湾曲部が設けられている。【０００３】
一方、挿入部の基端側には内視鏡操作部（以下、操作部と記載する）が設けられている。操作部にはユーザーの手元操作によって湾曲ワイヤを牽引弛緩させる操作レバー、内視鏡画像の停止、該画像の記録、照明光の切替等を指示する操作スイッチ、送水ボタン、吸引ボタン等の操作ボタンが設けられている。【０００４】
内視鏡は、医療分野において呼吸器科、耳鼻科、泌尿器科、その他の診療科等で用いられる。従来において内視鏡は、原価低減を実現するため、例えば操作部において、操作部全体の形状、操作レバーの構造及び配置位置、操作スイッチの構造及び配置位置等、基本的な構造を共通化していた。【０００５】
図１Ａに示すように内視鏡操作部外装部材（以下、操作部外装と略記する）1には操作スイッチとして例えば２つのリモートスイッチ2が設けられている。リモートスイッチ２は、キートップ３、案内管４、案内管固定部材５、スイッチユニット６、及びユニット固定部材７を主に有する。スイッチユニット６は、操作部内空間１Ｓ内に配置される。【０００６】
図１Ｂに示すように操作部外装１には操作部外部と操作部内空間１Ｓとに通じる段付孔１ｈが形成されている。段付き孔１ｈは、小径孔１ａと大径孔１ｂとを有している。大径孔１ｂの開口は、外方側開口である。符号１ｄは大径孔１ｂの底面である。小径孔１ａの開口は、底面開口と空間側開口とである。【０００７】
図１Ｃを参照してリモートスイッチ２を構成するキートップ３、案内管４、案内管固定部材５、スイッチユニット６、スイッチ固定部材７について説明する。【０００８】
キートップ３は、弾性ゴム部材で所定の形状に形成されている。キートップ３は、主に、指当て部３ａと軸部３ｂと、を有している。符号３ｃは内フランジ部であって指当て部３ａの内部空間側に突出している。指当て部３ａは、ボタン部とカバー部材とを兼用する。【０００９】
指当て部３ａは、図１Ａに示すように大径孔１ｂ内に収容される。そして、外周面３ｄが大径孔１ｂの内周面に密着して配置される。内フランジ部３ｃの下端面３ｅは、大径孔１ｂの底面１ｄ上に配置される。【００１０】
図１Ｃに示す軸部３ｂは、指当て部３ａの中央から突出している。軸部３ｂの端面は、操作部内空間１Ｓ内に配置されるようにその長さが予め設定されている。【００１１】
案内管４は、外フランジ部４ａとパイプ部４ｂ及び軸方向貫通孔である軸部用孔４ｃと、を有している。外フランジ部４ａは、指当て部３ａの空間内に配置されて内フランジ部３ｃ上に載置される。パイプ部４ｂは、外フランジ部４ａの一端面から突出して予め定めた長さである。パイプ部４ｂの中途部には雄ねじ部４ｍが設けられている。  
なお、パイプ部４ｂの一端面は、操作部内空間１Ｓ内に配置される。本実施形態において、パイプ部４の端面からキートップ３の軸部３ｂが突出するようにその長さが設定されている。【００１２】
案内管固定部材５は、例えば、第１外フランジ部５ａ、第２外フランジ部５ｂ、逃がし周溝５ｃ、及び段付き孔５ｄを有している。段付き孔５ｄは、軸方向貫通孔であり、逃がし孔５ｅ、ねじ孔５ｆ、係入孔５ｇを備えている。係入孔５ｇ内には３ｂが係入される。ねじ孔５ｆの内周面には雌ねじが形成されている。ねじ孔５ｆの雌ねじは、パイプ部４ｂの雄ねじ部４ｍに螺合する。【００１３】
係入孔５ｇが形成されている第２外フランジ部５ｂには一対の取付用孔５ｈが形成されている。取付用孔５ｈは、取付工具であるいわゆる蟹目レンチの突起が配置される軸方向貫通孔である。  
第１外フランジ部５ａの端面５ｉは取付面であって、後述する固定板（図１Ａの符号８）の一面側に配置される。【００１４】
スイッチユニット６は、回路が形成された１つの回路基板６ａと、２つのタクタイルスイッチ６ｂと、各タクタイルスイッチ６ｂに接続される電気ケーブル６ｃと、を備えている。回路基板６ａの回路中にはスイッチ接点（不図示）とケーブル接点（不図示）とが設けられている。スイッチ接点にはタクタイルスイッチ６ｂが実装される。ケーブル接点には電気ケーブル６ｃの一端部が接続される。符号６ｈは軸方向貫通孔６ｈであって、回路基板６ａに設けられている。【００１５】
ユニット固定部材７は、固定部本体７Ａと、ナット７Ｂと、ねじ部材７Ｃと、を備えている。固定部本体７Ａは、外フランジ部７ｄと、一端側軸部７ｅと、他端側軸部７ｇ及び軸方向の貫通孔７ｈを有している。  
一端側軸部７ｅは、外フランジ部７ｄの一端面から突出している。他端側軸部７ｇは、外フランジ部７ｄの一端面の反対面である他端面から突出している。【００１６】
一端側軸部７ｅの端面側には雄ねじ部７ｍが形成されている。雄ねじ部７ｍには固定部材であるナット７Ｂの雌ねじ部７ｆが螺合する。貫通孔７ｈ内には固定部材であるねじ部材７Ｃの軸部７Ｃａが挿通（遊嵌配置）される。軸部７Ｃａは、雄ねじ部７Ｃｍを有している。軸部７Ｃａの端部は、一端側開口から貫通孔７ｈ内に挿入され、他端側開口から外部に導出さるようにその長さが設定されている。【００１７】
図１Ａの符号８は固定板である。固定板８は、操作部外装１の操作部内空間１Ｓ側の所定位置に設けられた平面である固定面１ｆに対して例えば接着固定される。固定板８には案内管挿通孔８ａ、ねじ用孔８ｂが形成されている。ねじ用孔８ｂには固定部材である取付ねじ９Ａの雄ねじ部９Ａｍを有する軸部９Ａａが挿通配置される。【００１８】
図１Ａ、図１Ｃの符号９Ｂは固定パイプである。固定パイプ９Ｂには中心軸に沿って、貫通孔であって雌ねじ部を有するねじ孔９ｆ（図１Ａには不図示）が形成されている。固定パイプ９Ｂは、取付ねじ９Ａによって予め固定板８に取付けられている。【００１９】
ここで、リモートスイッチ２の操作部外装１への取付けを説明する。  
作業者は、操作部外装１、キートップ３、案内管４、案内管固定部材５、スイッチユニット６、及びユニット固定部材７を用意する。  
なお、以下の説明においてはリモートスイッチ２の操作部外装１に設けられた一方の段付き孔１ｈへの取付けを説明する。【００２０】
作業者は、予め、図２Ａに示すキートップ組１０を構成しておく。キートップ組１０は、キートップ３と案内管４とを一体的に取付けて構成される。具体的に、作業者は、キートップ３の軸部３ｂを案内管４のパイプ部４ｂの軸用孔４ｃに挿入する一方、該案内管４の外フランジ部４ａを指当て部３ａ内に配置する。【００２１】
また、作業者は、予め、図２Ｂに示すスイッチ組１１を構成しておく。スイッチ組１１は、スイッチユニット６と固定部本体７Ａとナット７Ｂとを一体的に取付けて構成される。具体的に、作業者は、タクタイルスイッチ６ｂが実装され、且つ、電気ケーブル６ｃが接続されている回路基板６ａの軸方向貫通孔６ｈに固定部本体７Ａの一端側軸部７ｅを挿通して外フランジ部７ｄの一面側を該基板６ａ上に載置させる一方、ナット７Ｂの雌ねじ部７ｆを一端側軸部７ｅの雄ねじ部７ｍに螺合していく。この結果、回路基板６ａが外ランジ部７ｄとナット７Ｂとの間に挟持固定される。【００２２】
作業者は、まず、図２Ｃに示すようにキートップ組１０を構成するキートップ３の軸部３ｂを小径孔１ａ内に挿通しつつ、案内管４のパイプ部４ｂを小径孔１ａ内に導入すると共に、キートップ３の指当て部３ａを大径孔１ｂ内に配置していく。  
この結果、図２Ｄに示すようにキートップ３の指当て部３ａが大径孔１ｂ内に配置され、雄ねじ部４ｍを含むパイプ部４ｂ及び軸部３ｂが操作部内空間１Ｓに配置される。【００２３】
次いで、作業者は、まず、図２Ｄに示すように操作部外装１の固定面１ｆの所定位置に固定板８を配置する。なお、固定板８には取付ねじ９Ａを介して固定パイプ９Ｂが螺合固定されている。また、固定板８には逃がし孔８ｈが形成されており、該逃がし孔８ｈ内にはパイプ部４ｂ及び軸部３ｂを挿通配置されている。【００２４】
次に、作業者は、案内管固定部材５を、キートップ組１０を構成する操作部内空間１Ｓに突出する案内管４に取付ける。即ち、案内管固定部材５の雌ねじを有するねじ孔５ｆを案内管４のパイプ部４ｂの雄ねじ部４ｍに螺合していく。すると、棒状部３ｂがさらに矢印Ｙ２Ｄに示すように操作部内空間１Ｓ内方に移動されていく。【００２５】
この結果、図２Ｅに示すように案内管固定部材５の端面５ｉが固定板８の一面に当接して該固定板８が該端面５ｉと固定面１ｆとの間に挟持固定されると共に、キートップ組１０が操作部外装１に固設される。このとき、外フランジ部４ａが内フランジ部３ｃを押圧して該内フランジ部３ｃが弾性変形され、外周面３ｄが大径孔１ｂの内周面に密着すると共に、下端面３ｅが底面１ｄに密着する。【００２６】
次に、作業者は、図２Ｅに示すようにスイッチ組１１を、操作部外装１に一体に固定されている固定パイプ９Ｂに取付ける。すなわち、スイッチ組１１を構成する固定部本体７Ａの他端側軸部７ｇの端面を固定パイプ９Ｂの端面に破線で示すように当接させる。このとき、タクタイルスイッチ６ｂとキートップ３の軸部３ｂとを所定の状態に対向させる。【００２７】
この後、作業者は、ねじ部材７Ｃの軸部７Ｃａを固定部本体７Ａの貫通孔７ｈを介して該パイプ９Ｂのねじ孔９ｆに螺合してスイッチ組１１を操作部外装１に一体な固定パイプ９Ｂに対して一体的に取付ける。  
このことによって、前記図１で示されているようリモートスイッチ2が操作部外装1に取付けられた状態になる。【００２８】
なお、日本国特開２００７−８７０１２号公報には入力装置が示されている。この入力装置においては、下部ケース内には第２の回路基板が固定状態に設けられており、この第２の回路基板の上面にタクタイルスイッチが配設されている。タクタイルスイッチは、入力決定用のスイッチ要素を構成している。上部カバーの下面にはタクタイルスイッチの操作子に対応させて押圧用凸部が設けられている。圧縮コイルばねにより、上部カバーが上方へ付勢されている。【００２９】
上述の構成の入力装置は、上部カバーが下方へ押圧操作されると、押圧用凸部を介して操作子が押圧操作され、これに基づきタクタイルスイッチがオン操作される。上部カバーに対する押圧力が解除されると、圧縮コイルばねの付勢力により上部カバーが上方へ戻され、これに伴い操作子の押圧が解除されてタクタイルスイッチはオフ状態に戻される。【００３０】
しかしながら、操作部外装において操作スイッチを設けることが可能な範囲は限定されている。加えて、操作スイッチの押圧用凸部直下のスペースが狭く限定されている。このため、日本国特開２００７−８７０１２号公報に示すように回路基板の上面に設けたタクタイルスイッチを該スイッチの押圧用凸部直下に配置することが難しい。【００３１】
また、図１Ａで示すようにリモートスイッチ２を操作部外装１に設ける構成においては、回路基板６ａを操作部内空間１Ｓ内に設けることによってスペースの問題を解消している。しかし、図１Ｃで示したようにリモートスイッチ２の部品点数が多い。また、図２Ａ−図２Ｅで示したようにリモートスイッチ２の操作部外装１へ取付けは煩雑であり、原価が高くなる要因になっている。【００３２】
本発明は上記事情に鑑みてなされたものであり、部品点数の低減による小型化を実現しつつ安価で、且つ、取付け性に優れたスイッチユニットおよび該スイッチユニットを備えた内視鏡を提供することを目的にしている。
【発明の開示】
【課題を解決するための手段】
【００３３】
本発明の一態様のスイッチユニットは、タクタイルスイッチと、前記タクタイルスイッチが操作されることによって発生される操作信号を伝達するケーブルと、外装部材の予め定めた位置に配設される中途部、前記中途部に対して第１の端部側に設けられ前記タクタイルスイッチが実装されるスイッチ固定部、前記中途部を挟んで前記第１の端部とは反対側に設けられ前記ケーブルが接続されるケーブル固定部、及び前記スイッチ固定部と前記ケーブル固定部とを電気的に接続して前記タクタイルスイッチから発生される操作信号を前記ケーブルに伝達する回路が形成された成形部品と、を具備している。【００３４】
本発明の一態様の内視鏡は、内視鏡操作部にスイッチユニットが設けられている。
【図面の簡単な説明】
【００３５】
【図１Ａ】操作部外装とリモートスイッチとを説明する図
【図１Ｂ】リモートスイッチが配設される操作部外装を説明する図
【図１Ｃ】リモートスイッチの部品の構成を説明する図
【図２Ａ】キートップと案内管とで構成されるキートップ組を説明する図
【図２Ｂ】スイッチユニットと固定部本体とナットとで構成されるスイッチ組を説明する図
【図２Ｃ】キートップ組の操作部外装への取付けを説明する図
【図２Ｄ】案内管固定部材によるキートップ組の操作部外装への固定を説明する図
【図２Ｅ】キートップ組が固定された操作部外装へのスイッチ組の取付けを説明する図
【図３】スイッチユニットが操作部に設けられた内視鏡の一構成例を説明する図
【図４】スイッチユニットが設けられる操作部外装部材を説明する図
【図５】スイッチユニットを説明する図
【図６Ａ】図５の矢印６Ａ方向から成形部品を見た図
【図６Ｂ】図５の矢印６Ｂ方向から成形部品を見た図
【図７】タクタイルスイッチを実装し、ケーブルが接続されたスイッチユニットを説明する図
【図８Ａ】スイッチユニットにキートップを配設した状態を説明する図
【図８Ｂ】キートップが装着されたスイッチユニットを操作部外装部材に配設する状態を説明する図
【図８Ｃ】スイッチユニットに装着されたキートップ及びタクタイルスイッチを実装した第１平板部を段付き孔の大径孔に配置した状態等を説明する図
【図８Ｄ】ナットを操作部内空間に突出する第２平板部の連結部に取り付ける状態を説明する図
【図８Ｅ】ナットを連結部に螺合してキートップが装着されたスイッチユニットを操作部外装部材に固設した状態を説明する図
【図９】スイッチユニットの他の構成例を示す図
【発明を実施するための最良の形態】
【００３６】
以下、図面を参照して本発明の実施の形態を説明する。  
なお、以下の説明に用いる各図において、各構成要素を図面上で認識可能な程度の大きさとするため、構成要素毎に縮尺を異ならせてあるものもある。即ち、本発明は、これらの図に記載された構成要素の数量、構成要素の形状、構成要素の大きさの比率、及び各構成要素の相対的な位置関係のみに限定されるものではない。【００３７】
近年、内視鏡において、各診療科毎に最適な形状の操作部が望まれている。  
図３に示す内視鏡２０は、内視鏡挿入部（以下、挿入部と略記する）２１と、内視鏡操作部（以下、操作部と略記する）２２と、ユニバーサルコード２３と、を主に備えている。挿入部２１は、細径であって先端側から順に、先端部２４と、湾曲部２５と、可撓管部２６と、を連設して構成されている。【００３８】
先端部２４の先端面には観察窓（不図示）、照明窓（不図示）、処置具開口（不図示）等が設けられている。湾曲部２５は、挿入部２１の中途に設けられ、例えば上下方向に湾曲する構成になっている。可撓管部２６は、可撓性を有するチューブ体であって、受動的に湾曲する構成になっている。【００３９】
操作部２２は、可撓管部２６の基端側に設けられている。操作部２２の側部からユニバーサルコード２３が延出されている。ユニバーサルコード２３の基端部には内視鏡コネクタ（不図示）が設けられている。内視鏡コネクタは、外部機器である光源装置等に着脱自在である。【００４０】
操作部２２には、湾曲操作装置２７、処置具挿入口２８、複数のリモートスイッチ２９、吸引口（不図示）等と、が設けられている。  
湾曲操作装置２７は、例えばＬ字形状のレバーである。レバーの基端部は、操作部２２に対して回動自在に軸支されている。湾曲操作装置２７は、ユーザーが湾曲部２５を湾曲操作する際に操作される。湾曲部２５は、湾曲操作装置２７の回動操作に伴って上用、あるいは、下用の牽引ワイヤが牽引、弛緩されて上方向、あるいは、下方向に湾曲する。【００４１】
なお、上述した湾曲部２５は、上下方向に湾曲する構成に限定されるものでは無く、上下左右の四方向に湾曲する構成であってもよい。その場合、操作部２２には上下用のレバーと左右用のレバーとが設けられる。左右用の操作レバーは、回動操作によって左用、あるいは、右用の牽引ワイヤを牽引、弛緩して、湾曲部２５を左方向、あるいは、右方向に湾曲するように構成される。【００４２】
また、湾曲操作装置２７は、Ｌ字形状のレバーに限定されるものではなく、略円形形状で回動操作される回転ノブ、傾倒操作されるジョイスティック型の棒状レバー、等であってもよい。【００４３】
処置具挿入口２８からは各種処置具が挿入される。複数のリモートスイッチ２９は、表示装置（不図示）の画面上に表示されている内視鏡画像の停止、あるいは、記録、画像の拡大、照明光の切替、等を行うための操作スイッチである。リモートスイッチ２９は、操作部２２の操作部外装部材３０に設けられている。【００４４】
ここで、図４−図８Ｅを参照してリモートスイッチ２９を説明する。  
図４に示すように操作部外装部材３０には操作部外部と操作部内空間３１とに通じる貫通孔である段付孔３２が形成されている。段付き孔３２は、リモートスイッチ２９を配設するための孔であり、小径孔３３と大径孔３４とを備えている。【００４５】
大径孔３４は、外方側開口３４aを有している。大径孔３４は、底面３４ｂと内周面３４ｃとを備えている。底面３４ｂには小径孔３３の一方の開口３３ａが形成されている。小径孔３３の他方の開口３３ｂは空間側開口であって、操作部内空間３１に通じている。【００４６】
図５に示すようにスイッチユニット４０は、タクタイルスイッチ５０と、ケーブル６０と、成形部品７０と、を備えている。タクタイルスイッチ５０は、外装体５１、操作部５２、複数の接点５３等を備えて構成されている。タクタイルスイッチ５０、操作部５２を押すことによってクリック感を得られて接点機構がオン状態になる例えばモーメンタリースイッチである。【００４７】
ケーブル６０は、例えば同軸ケーブルであって、中心側から順に内部導体６１と、絶縁体６２と、外部導体６３と、保護被覆６４と、を有する。保護被覆６４は、ケーブル６０の最外層である。絶縁体６２は、中間層であって内部導体６１と外部導体６３とを絶縁する。【００４８】
成形部品７０は、第１配設部７１と、第２配設部７２と、を有している。第１配設部７１は、円板形状である。第２配設部７２は、前記第１配設部７１の表側面７１ａとは反対側の面である裏側面７１ｂに直交して設けられている。【００４９】
第１配設部７１の表側面７１ａは、タクタイルスイッチ５０が実装されるスイッチ固定部として構成されている。一方、第２配設部７２の端部側は、ケーブル６０の内部導体６１の先端側及び外部導体６３の先端側が接続されるケーブル固定部として構成されている。【００５０】
第２配設部７２は第１配設部７１の裏側面７１ｂ側から順に、係入部７３と、成形部品連結部（以下、連結部と略記する）７４と、ケーブル固定部７５と、を備えている。  
係入部７３は、段付孔３２の小径孔３３内に配置される。連結部７４は、後述するナット（図８Ｄの符号９０）の雌ねじが螺合する雄ねじ部７４ｍを有している。ケーブル接続部７５は、ケーブル６０の内部導体６１及び絶縁体６２の先端側が配置される第１収容部７５ａと、外部導体６３及び保護被覆６４の先端側が配置される第２収容部７５ｂと、を有している。【００５１】
符号７６は回路である。回路７６は、箔部７６ａ、７６ｂを設けて構成されている。回路７６は、タクタイルスイッチ５０から発生される操作信号をケーブル６０に伝達する。【００５２】
図５、図６Ａに示すように第１配設部７１の表側面７１ａには例えば凹面７１ｃが形成されている。凹面７１ｃ上には回路７６を構成する箔部７６ａ、７６ｂが設けられている。即ち、箔部７６ａ、７６ｂが設けられた凹面７１ｃは、タクタイルスイッチ５０が固設されるスイッチ固定部である。タクタイルスイッチ５０の各接点５３は、凹面７１ｃに設けられたそれぞれの箔部７６ａ、７６ｂに所定の状態で接続される。【００５３】
なお、第１配設部７１の箔部７６ａ、７６ｂは、凹面７１ｃに加えて、表側面７１ａ上及び凹面７１ｃ上から表側面７１ａ上に至る立上面（不図示）の所定位置にも設けられている。立上面の箔部７６ａ、７６ｂは、凹面７１ｃの箔部７６ａ、７６ｂと、表側面７１ａの箔部７６ａ、７６ｂと、を接続する。【００５４】
図５、図６Ｂに示すように第２配設部７２の係入部７３、連結部７４、及びケーブル固定部７５は、円柱形状部の一部に切欠平面７３ｆ、７４ｆ、７５ｆを設けて形作られている。そして、係入部７３の切欠平面７３ｆ、連結部７４の切欠平面７４ｆ、ケーブル接続部７５の切欠平面７５ｆ及び連結部７４の切欠平面７４ｆからケーブル接続部７５の切欠平面７５ｆに至る段差面７２ｆには箔部７６ａ、７６ｂが設けられている。段差面７２ｆの箔部７６ａ、７６ｂは、連結部７４の箔部７６ａ、７６ｂと、ケーブル接続部７５の箔部７６ａ、７６ｂと、を接続している。【００５５】
なお、図５、図６Ｂに示すように第１配設部７１の裏側面７１ｂには箔部７６ａ、７６ｂが設けられている。また、第１配設部７１の外側面には、表側面７１ａの箔部７６ａ、７６ｂと、裏側面７１ｂの箔部７６ａ、７６ｂと、を接続する箔部７６ａ、７６ｂが設けられている。さらに、上述した雄ねじ部７４ｍは、連結部７４の周面に形成されている。【００５６】
第１収容部７５ａ及び第２収容部７５ｂは、断面が半円形の凹部である。第１収容部７５ａには絶縁体６２の先端面が当接する終端面が設けられている。第１収容部７５ａに配置された内部導体６１の先端側は、第１箔部７６ａに例えば半田によって接続される。一方、第２収容部７５ｂに配置された外部導体６３は、第２箔部７６ｂに例えば半田によって接続される。【００５７】
これらの結果、図７に示すように成形部品７０にタクタイルスイッチ５０とケーブル６０とが固定されたスイッチユニット４０が構成される。【００５８】
スイッチユニット４０は、成形部品７０の中途部に位置する係入部７３を挟んで第１の端部側である第１配設部７１に設けられた凹面７１ｃであるスイッチ固定部にタクタイルスイッチ５０が実装されている。また、スイッチユニット４０は、中途部である係入部７３を挟んで凹面７１ｃとは反対側の第２の端部側に設けられたケーブル接続部７５に所定の状態でケーブル６０が接続され、該ケーブル６０は操作部５２の直下から成形部品７０の外方に延出されている。【００５９】
このように構成されたスイッチユニット４０においては、第１の端部側のスイッチ固定部に実装されたタクタイルスイッチ５０の操作部５２を操作して発生される操作信号は、回路７６を介して第２の端部側のケーブル固定部７５に接続されたケーブル６０に伝達され、該ケーブル６０を介して外部機器に伝達される。【００６０】
ここで、操作部外装部材３０へのリモートスイッチ２９の取付けを説明する。  
作業者は、操作部外装部材３０、スイッチユニット４０、キートップ８０、及び成形部品固定部材９０を用意する。  
なお、本実施形態におけるリモートスイッチ２９は、操作部外装部材３０に設けられた段付き孔３２毎に１つずつ取付けられる。また、図８Ａに示すように本実施形態においては、成形部品７０の第１配設部７１に、予め、弾性ゴム部材で所定の形状に形成されたキートップ８０を配設して、キートップ付スイッチユニット４０Ａとして構成してある。  
したがって、作業者は、リモートスイッチ２９の取付の際、操作部外装部材３０、キートップ付スイッチユニット４０Ａ、及び成形部品固定部材９０を用意する。【００６１】
なお、キートップ８０は、内フランジ部８１を有している。内フランジ部８１の一面８２は、第１配設部７１の裏側面７１ｂに配置されるようになっている。この配置状態において、キートップ８０のスイッチ押圧凸部８３の端面８４はタクタイルスイッチ５０の操作部５２に対して予め定めた状態で対向配置されている。【００６２】
まず、作業者は、図８Ｂに示すように操作部外装部材３０に形成された段付孔３２の小径孔３３内にキートップ付スイッチユニット４０Ａを構成する成形部品７０に固設されて延出されているケーブル６０を含む第２配設部７２を矢印Ｙ８Ｂに示すように挿通させていく。【００６３】
そして、作業者は、図８Ｃに示すように第２配設部７２のケーブル固定部７５及び連結部７４を小径孔３３から導出させて操作部内空間３１に配置させる一方、係入部７３を小径孔３３内に配置させると共に、キートップ８０の指当て部８５を大径孔３４内に配置させる。【００６４】
次に、作業者は、図８Ｄに示すように成形部品固定部材９０であるナット（以下、成形部品固定部材をナット９０と記載する）を、操作部内空間３１に突出する連結部７４に取付ける。即ち、ナット９０の雌ねじ９０ｆを連結部７４の雄ねじ部７４ｍに螺合していく。【００６５】
この結果、図８Ｅに示すようにナット９０の端面９１が操作部内空間３１の空間平面３１ｆに当接して係入部７３がさらに操作部内空間３１内方に移動され、成形部品７０の係入部７３が小径孔３３内に配置された状態で操作部外装部材３０に固設される。【００６６】
このとき、第１配設部７１が内フランジ部８１を押圧して該内フランジ部８１が弾性変形される。この結果、キートップ８０の下端面が底面３４ｂに密着されると共に、キートップ８０の外周面８６が大径孔３４の内周面３４ｃに密着してキートップ８０が操作部外装部材３０に対して固定される。  
このことによって、操作部外装部材３０に対してリモートスイッチ２９が取付け固定される。【００６７】
このように、成形部品７０をスイッチ固定部を備える第１配設部７１とケーブル固定部を備える第２配設部７２とで構成した上で、第１配設部７１及び第２配設部７２にスイッチ固定部とケーブル固定部とを接続する回路７６を設けている。加えて、スイッチ固定部にタクタイルスイッチ５０を予め実装し、スイッチ固定部にケーブル６０を予め接続してスイッチユニット４０を構成している。  
これらの結果、リモートスイッチ２９を構成する部品の点数を大幅に削減して安価な構成を実現できる。【００６８】
また、第２配設部７２に雄ねじ部７４ｍを有する連結部７４を設け、該連結部７４の雄ねじ部７４ｍにナット９０の雌ねじ部を螺合して、係入部７３を小径孔３３内に係入配置された状態にして成形部品７０を操作部外装部材３０に一体に固定している。【００６９】
この結果、キートップ８０及びスイッチユニット４０を段付き孔３２内の所定位置に配設させて操作部外装部材３０に対して容易に取付け固定することができる。【００７０】
したがって、安価なスイッチユニット４０を操作部外装部材３０に容易に取付けられることによって安価な内視鏡を提供できる。【００７１】
また、スイッチユニット４０が実装された第１配設部７１を段付き孔３２の大径孔３４に配設することによって、操作部５２の直下の操作部内空間３１に連結部７４、ケーブル固定部７５を配設して該空間３１内のスペースを有効に活用することができる。【００７２】
なお、上述した実施形態においては、ケーブル６０を同軸ケーブルとしている。しかし、ケーブルは、同軸ケーブルに限定されるものでは無く。２つの信号線を内挿した信号ケーブル６５であってもよい。この場合、図９に示すように信号ケーブル６５の２つの信号線６５ａ、６５ｂを上述したように箔部７６ａ、７６ｂに半田で接続する。なお、符号７７は信号ケーブル挿通部であってケーブル孔７７ｈを有している。ケーブル孔７７ｈには信号ケーブル６５が挿通される。【００７３】
また、上述した実施形態においては、凹面７１ｃ上の箔部７６ａ、７６ｂと、切欠平面７３ｆの箔部７６ａ、７６ｂと、を表側面７１ａ、第１配設部７１の外側面、及び裏側面７１ｂに設けた箔部７６ａ、７６ｂで接続している。しかし、第１配設部７１の所定の位置に表側面７１ａと裏側面７１ｂとを貫通する穴を形成し、その穴の一面に凹面７１ｃ上の箔部７６ａ、７６ｂと、切欠平面７３ｆの箔部７６ａ、７６ｂと、を接続する箔部を設けるようにしてもよい。【００７４】
尚、本発明は、以上述べた実施形態のみに限定されるものではなく、発明の要旨を逸脱しない範囲で種々変形実施可能である。【００７５】
本発明によれば、部品点数の低減による小型化を実現しつつ安価で、且つ、取付け性に優れたスイッチユニットおよび該スイッチユニットを備えた内視鏡を実現できる。【００７６】
本出願は、２０１７年１１月１６日に日本国に出願された特願２０１７−２２０６２１号を優先権主張の基礎として出願するものであり、上記の開示内容は、本願明細書、請求の範囲に引用されるものとする。
【図１Ａ】
2019097805.tif 000003
【図１Ｂ】
2019097805.tif 000004
【図１Ｃ】
2019097805.tif 000005
【図２Ａ】
2019097805.tif 000006
【図２Ｂ】
2019097805.tif 000007
【図２Ｃ】
2019097805.tif 000008
【図２Ｄ】
2019097805.tif 000009
【図２Ｅ】
2019097805.tif 000010
【図３】
2019097805.tif 000011
【図４】
2019097805.tif 000012
【図５】
2019097805.tif 000013
【図６Ａ】
2019097805.tif 000014
【図６Ｂ】
2019097805.tif 000015
【図７】
2019097805.tif 000016
【図８Ａ】
2019097805.tif 000017
【図８Ｂ】
2019097805.tif 000018
【図８Ｃ】
2019097805.tif 000019
【図８Ｄ】
2019097805.tif 000020
【図８Ｅ】
2019097805.tif 000021
【図９】
2019097805.tif 000022
【手続補正書】
【提出日】令和2年3月6日(2020.3.6)
【手続補正１】
【補正対象書類名】明細書
【補正対象項目名】００３３
【補正方法】変更
【補正の内容】
【００３３】
本発明の一態様の外装部材に設けられるスイッチユニットは、タクタイルスイッチと、前記タクタイルスイッチの信号を伝達するケーブルと、外装部材の予め定めた位置に配設される成形部品と、を有し、前記成形部品は、第１の端部側に設けられ前記タクタイルスイッチが実装されるスイッチ固定部と、第２の端部側に設けられ前記ケーブルが接続されるケーブル固定部と、前記スイッチ固定部と前記ケーブル固定部とを電気的に接続する回路と、を具備している。
【手続補正２】
【補正対象書類名】明細書
【補正対象項目名】００３４
【補正方法】変更
【補正の内容】
【００３４】
本発明の一態様の内視鏡は、内視鏡操作部に前記スイッチユニットが設けられている。
また、本発明の他態様の内視鏡は、挿入部と、前記挿入部の基端側に設けられた操作部と、前記操作部の側方に延出されたユニバーサルコードと、前記操作部に設けられたタクタイルスイッチと、前記ユニバーサルコードの内部に配置され、前記タクタイルスイッチの信号を伝達するケーブルと、前記操作部の予め定めた位置に配設される中途部と、前記中途部に対して第１の端部側に設けられ前記タクタイルスイッチが実装されるスイッチ固定部と、前記中途部を挟んで前記第１の端部とは反対側の第２の端部側に設けられ前記ケーブルが接続されるケーブル固定部と、を有する成形部品と、前記成形部品に設けられ、前記スイッチ固定部と前記ケーブル固定部とを電気的に接続する回路と、を有している。
【手続補正３】
【補正対象書類名】特許請求の範囲
【補正対象項目名】全文
【補正方法】変更
【補正の内容】
【特許請求の範囲】
【請求項１】
タクタイルスイッチと、
前記タクタイルスイッチの信号を伝達するケーブルと、
外装部材の予め定めた位置に配設される成形部品と、を有し、
前記成形部品は、第１の端部側に設けられ前記タクタイルスイッチが実装されるスイッチ固定部と、第２の端部側に設けられ前記ケーブルが接続されるケーブル固定部と、前記スイッチ固定部と前記ケーブル固定部とを電気的に接続する回路と、
を具備することを特徴とする外装部材に設けられるスイッチユニット。
【請求項２】
さらに、前記成形部品に配設されて前記タクタイルスイッチを覆い、前記成形部品によって前記外装部材に固定されるキートップを具備することを特徴とする請求項１に記載のスイッチユニット。
【請求項３】
前記成形部品は、
前記スイッチ固定部が設けられる第１配設部と、
前記ケーブル固定部が設けられる第２配設部と、を有し、
前記第２配設部は、前記第１配設部の前記スイッチ固定部とは反対側面に直交して設けられる、
ことを特徴とする請求項２に記載のスイッチユニット。
【請求項４】
前記ケーブル固定部に固定される前記ケーブルは、前記スイッチ固定部に固定された前記タクタイルスイッチの操作部の直下から前記成形部品の外方に導出される、
ことを特徴とする請求項３に記載のスイッチユニット。
【請求項５】
前記成形部品は、前記スイッチ固定部が設けられる第１配設部と、前記ケーブル固定部が設けられる第２配設部と、を有し、
前記回路は、前記第１配設部と第２配設部との表面に設けられた箔部である、
請求項１に記載のスイッチユニット。
【請求項６】
前記成形部品は、前記スイッチ固定部が設けられる第１配設部と、前記ケーブル固定部が設けられる第２配設部と、を有し、
前記外装部材は、大径部と、前記大径部より小径な小径部とからなる段付き孔を有し、前記第１配設部は前記大径部に配置される、
請求項１に記載のスイッチユニット。
【請求項７】
前記タクタイルスイッチは、前記大径部から前記小径部に向かう方向に押下される、請求項６に記載のスイッチユニット。
【請求項８】
前記成形部品は、前記成形部品が外装部材の予め定めた位置に配設されるように設けられた中途部と、を有し、
前記第２の端部は、前記中途部を挟んで前記第１の端部の反対側に設けられる、
請求項１に記載のスイッチユニット。
【請求項９】
前記第１の端部は、前記外装部材の外側に設けられている、
請求項１に記載のスイッチユニット。
【請求項１０】
請求項１に記載されたスイッチユニットを内視鏡操作部に設けたことを特徴とする内視鏡。
【請求項１１】
挿入部と、
前記挿入部の基端側に設けられた操作部と、
前記操作部の側方に延出されたユニバーサルコードと、
前記操作部に設けられたタクタイルスイッチと、
前記ユニバーサルコードの内部に配置され、前記タクタイルスイッチの信号を伝達するケーブルと、
前記操作部の予め定めた位置に配設される中途部と、前記中途部に対して第１の端部側に設けられ前記タクタイルスイッチが実装されるスイッチ固定部と、前記中途部を挟んで前記第１の端部とは反対側の第２の端部側に設けられ前記ケーブルが接続されるケーブル固定部と、を有する成形部品と、
前記成形部品に設けられ、前記スイッチ固定部と前記ケーブル固定部とを電気的に接続する回路と、
を有する内視鏡。
【国際調査報告】
2019097805.tif 000023
2019097805.tif 000024
2019097805.tif 000025
2019097805.tif 000026